(57)【特許請求の範囲】
【請求項１】
コンロを有する加熱調理器との間で情報を授受する第１接続部と、
風量が可変に構成され、風量の大きさに応じて空気清浄能力が変化する空気清浄機との間で情報を授受する第２接続部と、
前記第１接続部を介して前記加熱調理器の動作状態の変化を取得しており、前記加熱調理器に所定の動作状態の変化が発生した場合、前記第１接続部を介して取得した前記加熱調理器の動作状態の変化に応じた前記空気清浄機の風量を選択する処理部と、
前記第２接続部を介して、前記処理部が選択した風量で前記空気清浄機を運転させる指示部とを備える
ことを特徴とする制御装置。
【請求項２】
前記処理部は、前記加熱調理器の動作状態が動作中から動作停止に変化した場合、前記加熱調理器の動作中から動作停止への変化に応じた前記空気清浄機の風量を選択する
ことを特徴とする請求項１記載の制御装置。
【請求項３】
前記処理部は、前記加熱調理器に前記所定の動作状態の変化が発生した場合、前記空気清浄機の最小風量よりも大きい風量である監視風量を選択し、
前記指示部は、前記監視風量で前記空気清浄機を監視期間運転させる
ことを特徴とする請求項１または２記載の制御装置。
【請求項４】
前記指示部は、前記加熱調理器に前記所定の動作状態の変化が発生してから前記監視期間内に、前記加熱調理器の前記所定の動作状態の変化が再発生した場合、前記加熱調理器に前記所定の動作状態の変化の再発生から前記監視期間、前記監視風量で前記空気清浄機を運転させる
ことを特徴とする請求項３記載の制御装置。
【請求項５】
前記空気清浄機が、空気環境を測定するセンサの測定結果に基づいて風量の大きさを調整する自動運転中である場合、前記処理部は、前記加熱調理器に前記所定の動作状態の変化が発生した際に、前記加熱調理器の動作状態の変化に応じた風量と、前記空気清浄機の風量とのうち大きい方の風量を選択する
ことを特徴とする請求項１〜４のうちいずれか１項に記載の制御装置。
【請求項６】
前記空気清浄機が、空気環境を測定するセンサの測定結果に基づいて風量の大きさを調整する自動運転中である場合、前記処理部は、前記加熱調理器に前記所定の動作状態の変化が発生した際に、前記監視風量と、前記空気清浄機の風量とのうち大きい方の風量を選択し、前記加熱調理器に前記所定の動作状態の変化が発生してから前記監視期間内に、前記センサの測定結果に基づいた風量の大きさが前記監視風量よりも小さくなった際に、前記監視風量を選択する
ことを特徴とする請求項３または４記載の制御装置。
【請求項７】
前記空気清浄機が、風量の大きさを一定に維持するマニュアル運転中である場合、前記処理部は、前記加熱調理器に前記所定の動作状態の変化が発生しても、前記マニュアル運転に設定されている風量を維持する
ことを特徴とする請求項１〜６のうちいずれか１項に記載の制御装置。
【請求項８】
レンジフードとの間で情報を授受する第３接続部をさらに備え、
前記処理部は、前記第３接続部を介して前記レンジフードの動作状態の変化を取得しており、前記レンジフードの動作状態に変化が発生した場合、前記レンジフードの動作状態の変化に応じた前記空気清浄機の風量を選択する
ことを特徴とする請求項１〜７のうちいずれか１項に記載の制御装置。
【請求項９】
レンジフードとの間で情報を授受する第３接続部をさらに備え、
前記処理部は、前記第３接続部を介して前記レンジフードの動作状態の変化を取得しており、前記レンジフードの動作状態に変化が発生した場合、前記空気清浄機の最小風量よりも大きい風量である見張風量を選択し、
前記指示部は、前記見張風量で前記空気清浄機を見張期間運転させ、
さらに前記指示部は、前記レンジフードの動作状態の変化が発生してから前記見張期間内に、前記加熱調理器に前記所定の動作状態の変化が発生した場合、前記加熱調理器に前記所定の動作状態の変化が発生してから前記監視期間、前記監視風量で前記空気清浄機を運転させる
ことを特徴とする請求項３、４、６のうちいずれか１項に記載の制御装置。
【請求項１０】
前記加熱調理器は、グリルを有しており、
前記処理部は、前記加熱調理器の動作状態が、前記グリルの動作停止から動作開始に変化した場合、前記グリルの動作停止から動作開始への変化に応じた前記空気清浄機の風量を選択する
ことを特徴とする請求項１〜９のうちいずれか１項に記載の制御装置。
【請求項１１】
前記処理部は、前記加熱調理器が複数の調理メニューから選択された前記調理メニューに従って加熱を開始した場合、選択された前記調理メニューに応じた前記空気清浄機の風量を選択する
ことを特徴とする請求項１〜１０のうちいずれか１項に記載の制御装置。
【請求項１２】
請求項１〜１１のうちいずれか１項に記載の制御装置と、
コンロを有し、前記制御装置との間で情報を授受する加熱調理器と、
風量が可変に構成され、風量の大きさに応じて空気清浄能力が変化し、前記制御装置との間で情報を授受する空気清浄機とを備える
ことを特徴とする空気環境制御システム。
【請求項１３】
コンピュータを、請求項１〜１１のうちいずれか１項に記載の制御装置として機能させるためのプログラム。
【請求項１４】
第１接続部が、コンロを有する加熱調理器との間で情報を授受し、
第２接続部が、風量が可変に構成され風量の大きさに応じて空気清浄能力が変化する空気清浄機との間で情報を授受し、
処理部が、前記第１接続部を介して前記加熱調理器の動作状態の変化を取得しており、前記加熱調理器に所定の動作状態の変化が発生した場合、前記第１接続部を介して取得した前記加熱調理器の動作状態の変化に応じた前記空気清浄機の風量を選択し、
指示部が、前記第２接続部を介して、前記処理部が選択した風量で前記空気清浄機を運転させる
ことを特徴とする空気環境制御方法。
【発明の詳細な説明】
【技術分野】
【０００１】
本発明は、においを除去する装置を制御する制御装置、空気環境制御方法、この制御装置を用いた空気環境制御システム、およびコンピュータをこの制御装置として機能させるためのプログラムに関する。
【背景技術】
【０００２】
従来、加熱調理機器の使用時において屋内の空気を換気するレンジフードがある（例えば、特許文献１参照）。特許文献１には、加熱調理機器の運転を検知する検知手段が加熱調理機器に設けられており、検知手段の情報を用いてレンジフードと加熱調理機器の運転を連動させる構成が記載されている。
【先行技術文献】
【特許文献】
【０００３】
【特許文献１】特開２００６−２６６６０８号公報
【発明の概要】
【発明が解決しようとする課題】
【０００４】
しかし、調理によって発生したにおいをレンジフードでは排気しきれず、キッチンとは異なる場所に設置された換気扇などによって生じる気流により、においが部屋に拡散するおそれがあった。
【０００５】
本発明は、上記事由に鑑みてなされており、その目的は、調理によって発生するにおいの拡散を防止することができる制御装置を提供することにある。また、本発明の目的は、この制御装置を用いた空気環境制御システム、コンピュータを制御装置として機能させるためのプログラム、および調理によって発生するにおいの拡散を防止することができる空気環境制御方法を提供することにある。
【課題を解決するための手段】
【０００６】
本発明の制御装置は、コンロを有する加熱調理器との間で情報を授受する第１接続部と、風量が可変に構成され、風量の大きさに応じて空気清浄能力が変化する空気清浄機との間で情報を授受する第２接続部と、前記第１接続部を介して前記加熱調理器の動作状態の変化を取得しており、前記加熱調理器に所定の動作状態の変化が発生した場合、前記第１接続部を介して取得した前記加熱調理器の動作状態の変化に応じた前記空気清浄機の風量を選択する処理部と、前記第２接続部を介して、前記処理部が選択した風量で前記空気清浄機を運転させる指示部とを備えることを特徴とする。
【０００７】
本発明の空気制御システムは、上記制御装置と、コンロを有し、前記制御装置との間で情報を授受する加熱調理器と、風量が可変に構成され、風量の大きさに応じて空気清浄能力が変化し、前記制御装置との間で情報を授受する空気清浄機とを備えることを特徴とする。
【０００８】
本発明のプログラムは、コンピュータを上記制御装置として機能させる。
【０００９】
本発明の空気制御方法は、第１接続部が、コンロを有する加熱調理器との間で情報を授受し、第２接続部が、風量が可変に構成され風量の大きさに応じて空気清浄能力が変化する空気清浄機との間で情報を授受し、処理部が、前記第１接続部を介して前記加熱調理器の動作状態の変化を取得しており、前記加熱調理器に所定の動作状態の変化が発生した場合、前記第１接続部を介して取得した前記加熱調理器の動作状態の変化に応じた前記空気清浄機の風量を選択し、指示部が、前記第２接続部を介して、前記処理部が選択した風量で前記空気清浄機を運転させることを特徴とする。
【発明の効果】
【００１０】
本発明では、調理によって発生するにおいの拡散を防止することができるという効果がある。
【図面の簡単な説明】
【００１１】
【図１】実施形態１の制御装置および空気環境制御システムを示すブロック図である。
【図２】実施形態１の第１動作例を示す図である。
【図３】実施形態１の第２動作例を示す図である。
【図４】実施形態１の第３動作例を示す図である。
【図５】実施形態２の制御装置および空気環境制御システムを示すブロック図である。
【図６】実施形態２における加熱調理器の開始予定時刻、停止予定時刻を示す図である。
【発明を実施するための形態】
【００１２】
以下、本発明の実施の形態を図面に基づいて説明する。
（実施形態１）
本実施形態に係る制御装置１、および制御装置１を用いた空気環境制御システム１０の構成を図１に示す。本実施形態の制御装置１は、ＨＥＭＳ（Home Energy Management System）のコントローラであり、ＨＥＭＳのデバイス機器である加熱調理器２、空気清浄機３とで空気環境制御システム１０を構成している。制御装置１と、加熱調理器２および空気清浄機３とは、電波を伝送媒体とする無線通信、通信線を伝送媒体とする有線通信などから選択される通信方式を用いて、互いに通信可能に構成されている。
【００１３】
まず、加熱調理器２の構成について説明する。本実施形態の加熱調理器２は、キッチンに備え付けられたＩＨクッキングヒーター（IH: Induction Heating）で構成されており、電力を用いた加熱を行う調理器具である。加熱調理器２は、コンロ２１、グリル２２、操作部２３、制御部２４を備える。コンロ２１は、天板の下に設けられたコイルの電磁誘導により、天板に載置された鍋、フライパン等を加熱可能に構成されており、例えば煮る、炒める、蒸す、焼く、揚げる等の調理を可能とする。グリル２２は、引出し式の加熱庫であり、ヒーターを用いた炙り焼き等の調理を可能とする。操作部２３は、押しボタンスイッチ、ボリュームスイッチ、タッチパネル等で構成されており、ユーザーからの操作を受け付ける。制御部２４は、操作部２３が受け付けた操作内容に基づいて、コンロ２１およびグリル２２を制御することで、コンロ２１およびグリル２２の加熱開始、加熱停止、加熱温度の調整などを行う。ここで、コンロ２１、グリル２２のいずれか一方が加熱開始（動作開始）することを加熱調理器２のオンといい、コンロ２１、グリル２２の両方が加熱停止（動作停止）することを加熱調理器２のオフという。
【００１４】
また、制御部２４は、調理メニューに従って加熱時間、加熱温度などを自動的に調整する自動調理機能を可能とする加熱調整部２５を備えている。加熱調整部２５は、予め決められた加熱時間、加熱温度を示す調理メニューが複数設定されており、複数の調理メニューの中から選択された調理メニューに従って加熱時間、加熱温度を調整する。調理メニューの例として、炊飯、ハンバーグ、焼き魚などがあり、それぞれ異なる加熱時間、加熱温度が決められている。そして、加熱調整部２５は、ユーザーが操作部２３を用いて選択した調理メニューに従って、コンロ２１またはグリル２２の加熱時間、加熱温度を調整する自動調理機能を実行する。
【００１５】
さらに、加熱調理器２は、ＨＥＭＳのデバイス機器であり、通信インターフェースである接続部２６を備えており、接続部２６を用いてＨＥＭＳのコントローラである制御装置１と通信可能に構成されている。そして、加熱調理器２は、ユーザーによって操作部２３が操作され加熱調理器２に所定の動作状態の変化が発生した際に、動作状態の変化を示す信号を制御装置１に送信する。ここでいう加熱調理器２の所定の動作状態の変化とは、コンロ２１、グリル２２の動作停止から動作開始への変化であるコンロ２１、グリル２２のオン、コンロ２１、グリル２２の動作中から動作停止への変化であるコンロ２１、グリル２２のオフを示す。さらには、加熱調理器２の所定の動作状態の変化として、自動調理機能の実行がある。例えば、加熱調理器２は、コンロ２１がオンした場合、コンロ２１のオンを示す信号を制御装置１に送信し、コンロ２１がオフした場合、コンロ２１のオフを示す信号を制御装置１に送信する。同様に、加熱調理器２は、グリル２２がオンした場合、グリル２２のオンを示す信号を制御装置１に送信し、グリル２２がオフした場合、グリル２２のオフを示す信号を制御装置１に送信する。また、加熱調理器２は、調理メニューが選択され自動調理機能が実行された場合、選択された調理メニューを示す信号を制御装置１に送信する。
【００１６】
次に空気清浄機３の構成について説明する。本実施形態の空気清浄機３は、キッチンの天井に埋込設置された設備型の空気清浄機で構成されている。空気清浄機３は、吸気および排気を行うファン３１と、ファン３１を制御する制御部３２と、空気環境を測定するセンサ３３とを備え、空気清浄を行うことで空気環境を改善する。ここでいう空気環境とは、空気の状態を示しており、具体的には、空気中に含まれる塵埃、ハウスダスト、花粉、微粒子、および微生物の量、煙の濃度、においの大きさ（臭気成分の濃度）などを示す。ファン３１が回転することによって、筐体内に吸入された空気がフィルターで濾過され筐体外に排出される。これにより、空気中に含まれる塵埃、ハウスダスト、花粉、微粒子、微生物（細菌、ウイルスなど）、におい、煙などを除去する空気清浄が行われ空気環境が改善する。制御部３２は、ファン３１を制御しており、ファン３１の回転数を変化させることで風量が可変に構成される。ファン３１による給気および排気の風量が大きくなるほど、フィルターを通過する空気量が増加するので、空気清浄能力が大きくなる。本実施形態では、ファン３１の風量の大きさが弱、中、強、ターボの４段階に設定されており、弱、中、強、ターボの順に風量が大きくなる。
【００１７】
また、空気清浄機３は、運転モードとして、風量を一定に維持するマニュアル運転と、風量を自動調整する自動運転とを備えている。マニュアル運転では、ファン３１の風量が弱、中、強、ターボの中からユーザーによって選択された風量を維持するように、制御部３２がファン３１を制御する。すなわち、マニュアル運転とは、ファン３１の風量が一定に維持される運転である。自動運転では、センサ３３による空気環境の測定結果に基づいて、制御部３２がファン３１の風量を弱、中、強、ターボの中から切り替える。すなわち、自動運転とは、空気環境に応じて風量の大きさが自動的に調整される運転である。したがって、自動運転では、空気が汚れている場合（例えば空気中に含まれる臭気成分の濃度が高い場合）、風量が大きくなり、空気が清浄されている場合（例えば空気中に含まれる臭気成分の濃度が低い場合）、風量が小さくなる。なお、マニュアル運転と自動運転との切り替え、およびマニュアル運転時の風量選択は、リモコン３４を用いて行うことができる。
【００１８】
さらに、空気清浄機３は、ＨＥＭＳのデバイス機器であり、通信インターフェースである接続部３５を備えており、接続部３５を用いてＨＥＭＳのコントローラである制御装置１と通信可能に構成されている。そして、空気清浄機３は、現在の運転モード（マニュアル運転、自動運転）、および現在の風量を示す信号を制御装置１に送信する。また、制御部３２は、制御装置１からの制御信号に基づいてファン３１を制御する。すなわち、空気清浄機３は、制御装置１からの指示によって運転が制御される。なお、制御装置１による空気清浄機３の運転制御については後述する。
【００１９】
次に、制御装置１の構成について説明する。制御装置１は、コンピュータを主なハードウェア要素としており、このコンピュータを以下に説明する制御装置１として機能させるためのプログラムを実行することによって構成されている。このプログラムは、コンピュータで読み取り可能な記録媒体を用いて提供されることが望ましい。
【００２０】
本実施形態の制御装置１は、ＨＥＭＳのデバイス機器である加熱調理器２、空気清浄機３を監視および制御するＨＥＭＳのコントローラである。制御装置１は、第１接続部１１、第２接続部１２、および制御部１３を備え、加熱調理器２の動作状態の変化に基づいて、空気清浄機３の運転を制御する。
【００２１】
第１接続部１１は、通信インターフェースであり、加熱調理器２の接続部２６に接続され、接続部２６との間で信号を送受信することで、加熱調理器２との間で情報を授受する。第２接続部１２は、通信インターフェースであり、空気清浄機３の接続部３５と接続され、接続部３５との間で信号を送受信することで、空気清浄機３との間で情報を授受する。
【００２２】
制御部１３は、処理部１４および指示部１５を備え、第１接続部１１および第２接続部１２との間でデータを授受する。
【００２３】
処理部１４は、第１接続部１１を介して加熱調理器２からの信号を受信することで、加熱調理器２の動作状態の変化を示すデータを取得する。さらに、処理部１４は、第２接続部１２を介して空気清浄機３からの信号を受信することで、空気清浄機３の運転モードおよび風量を示すデータを取得する。そして、処理部１４は、加熱調理器２の動作状態に変化が発生した場合、取得した加熱調理器２の動作状態の変化、および空気清浄機３の運転モード、風量に基づいて、空気清浄機３の風量を弱、中、強、ターボの中から選択する。
【００２４】
具体的には、処理部１４は、加熱調理器２の動作状態に変化が発生した場合、空気清浄機３の運転モードを確認する。処理部１４は、空気清浄機３の運転モードがマニュアル運転である場合、マニュアル運転に設定されている現在の空気清浄機３の風量を選択する。
【００２５】
また、処理部１４は、空気清浄機３の運転モードが自動運転である場合、加熱調理器２の動作状態の変化に応じた風量と、現在の空気清浄機３の風量とを比較し、大きい方の風量を選択する。ここで、加熱調理器２の動作状態の変化に応じた風量とは、加熱調理器２の動作状態の変化に予め対応付けられた風量の大きさである。本実施形態では、加熱調理器２（コンロ２１、グリル２２）のオンおよびオフという加熱調理器２の動作状態の変化に対して、風量「中」が対応付けられている。また、自動調理機能の実行という加熱調理器２の動作状態の変換対して、選択された調理メニューごとに推定されるにおいの大きさなどに基づいた風量の大きさが対応付けられている。例えば、においが比較的小さい調理メニュー（例えば、炊飯など）には、風量「中」が対応付けられ、においが比較的大きい調理メニュー（例えば、焼き魚など）には、風量「強」が対応付けられる。なお、調理メニューに対応付けられた風量の大きさは、一例であり上記に限定されない。
【００２６】
指示部１５は、第２接続部１２を介して空気清浄機３の制御部３２に制御信号を送信することで、処理部１４が選択した風量で空気清浄機３を運転させる。
【００２７】
さらに、指示部１５は、加熱調理器２がオンまたはオフした場合、空気清浄機３に対して加熱調理器２のオン、オフに対応付けられた風量である「中」以上を監視期間Ｔ１維持させるパトロール運転を実行させる。このパトロール運転時における風量「中」は、空気清浄機３の最小風量「弱」よりも大きい風量である監視風量に相当する。なお、監視期間Ｔ１は、例えば５分、１０分、１５分などから選択される。また、指示部１５は、調理メニューが選択された場合、空気清浄機３に対して、自動調理機能の実行中において調理メニューに対応した風量以上を維持する運転を実行させる。
【００２８】
以下に、制御装置１による空気清浄機３の制御について、図２〜図４に示す第１〜第３動作例を用いて具体的に説明する。図２〜図４は、加熱調理器２の動作状態、空気清浄機３の風量を示している。
【００２９】
図２に示す第１動作例では、時刻ｔ０において、加熱調理器２が動作停止しており、空気清浄機３の運転モードが自動運転で風量が「弱」であるとする。そして、時刻ｔ１において、ユーザーの操作により、加熱調理器２のコンロ２１がオンする。したがって、時刻ｔ１において、処理部１４は、加熱調理器２（コンロ２１）のオンに対応付けられた風量「中」を選択し、指示部１５は、処理部１４が選択した風量「中」で空気清浄機３を運転（パトロール運転）させる。空気清浄機３の風量が最小風量である「弱」よりも大きい風量「中」（監視風量）に設定されることによって、部屋の空気が撹拌され、より多くの空気を吸入してセンサ３３が空気環境を測定しやすい状態となる。すなわち、本実施形態では、加熱調理器２がオンした際に、少なくとも監視期間Ｔ１中は、空気清浄機３の風量が大きくなり空気環境の変化を検知しやすくなる。これにより、例えば調理によって発生するにおいを素早く検知することができ、においの拡散を防止することができる。
【００３０】
そして、時刻ｔ２において、空気清浄機３のセンサ３３が、調理によって発生したにおいを検知し、風量が「強」に調整されている。これにより、においが部屋に拡散することが防止される。時刻ｔ３において、空気清浄機３によってにおいが除去され、センサ３３の測定結果に基づいた風量の大きさが「弱」となる。ここで、時刻ｔ３は、加熱調理器２がオンした時刻ｔ１から監視期間Ｔ１中であるので、処理部１４は、センサ３３の測定結果に基づいた風量「弱」よりも大きい風量「中」（監視風量）を選択し、指示部１５が、風量「中」で空気清浄機３を運転させる。そして、時刻ｔ１から監視期間Ｔ１を経過した時刻ｔ４において、処理部１４は、センサ３３の測定結果に基づいた風量である「弱」を選択し、指示部１５が、風量「弱」で空気清浄機３を運転させる。
【００３１】
時刻ｔ５において、ユーザーの操作により、加熱調理器２のコンロ２１がオフする。このとき、処理部１４は、空気清浄機３の風量が「弱」であったので、加熱調理器２（コンロ２１）のオフに対応付けられた風量「中」を選択し、指示部１５は、処理部１４が選択した風量「中」（監視風量）で空気清浄機３を運転（パトロール運転）させる。このように、本実施形態では、加熱調理器２がオフした際にも、空気清浄機３の風量が大きくなり空気環境の変化を検知しやすくなるパトロール運転が実行される。これにより、加熱調理器２のオフ後において、調理によって発生したにおいが部屋に残っていた場合に、これを素早く検知し除去することができる。
【００３２】
また、時刻ｔ５から監視期間Ｔ１中の時刻ｔ６において、加熱調理器２のグリル２２がオンする。このとき、処理部１４はグリル２２のオンに対応付けられた風量「中」を選択し、指示部１５は、時刻ｔ６から監視期間Ｔ１の間は風量「中」（監視風量）以上を維持させるパトロール運転を実行させる。すなわち、空気清浄機３がパトロール運転中に、加熱調理器２がオンまたはオフした場合、パトロール運転の時間が再設定される。これにより、例えば加熱調理器２が再びオンした際に、パトロール運転の実行期間が短くなることが防止され、調理によるにおいを検知して拡散を防止することができる。
【００３３】
図３に示す第２動作例では、時刻ｔ１０において、加熱調理器２が動作停止しており、空気清浄機３の運転モードが自動運転で風量が「弱」であるとする。そして、時刻ｔ１１において、ユーザーの操作により、自動調理機能の調理メニューが選択され、加熱調理器２がオンする。ここでは、風量「強」が対応付けられた調理メニュー「焼き魚」が選択されたとする。したがって、時刻ｔ１１において、処理部１４は、調理メニュー「焼き魚」に対応した風量「強」を選択し、指示部１５は、処理部１４が選択した風量「強」で空気清浄機３を運転させる。さらに、指示部１５は、自動調理機能の実行期間Ｔ２は、風量「強」以上を維持させる。このように、におい、煙が比較的多い調理メニューが選択された場合、予め空気清浄機３の風量を大きく設定しておくことで、調理によって発生するにおいが拡散することをより防止することができる。
【００３４】
そして、時刻ｔ１２において、空気清浄機３のセンサ３３が、調理によって発生したにおいを検知し、風量が「ターボ」に調整されている。時刻ｔ１３において、自動調理が完了し加熱調理器２がオフする。このとき、調理によって発生したにおいが残っており、空気清浄機３の風量が「ターボ」に調整されている。したがって、処理部１４は、加熱調理器２のオフに対応付けられた風量「中」よりも大きい「ターボ」を選択し、指示部１５は、処理部１４が選択した風量「ターボ」で空気清浄機３を運転させる。そして、時刻ｔ１４において、空気清浄機３によりにおいの除去が完了し、センサ３３の測定結果に基づいた風量の大きさが「弱」となる。時刻ｔ１４は、加熱調理器２がオフした時刻ｔ１３から監視期間Ｔ１中であるので、処理部１４は、センサ３３の測定結果に基づいた風量「弱」よりも大きい風量「中」（監視風量）を選択し、指示部１５が、風量「中」で空気清浄機３を運転させる。そして、時刻ｔ１３から監視期間Ｔ１が経過した時刻ｔ１５において、処理部１４は、センサ３３の測定結果に基づいた風量である「弱」を選択し、指示部１５が、風量「弱」で空気清浄機３を運転させる。
【００３５】
図４に示す第３動作例では、時刻ｔ２０において、加熱調理器２が動作停止しており、空気清浄機３の運転モードがマニュアル運転で風量が「弱」であるとする。そして、時刻ｔ２１において、ユーザーの操作により、加熱調理器２のコンロ２１がオンする。処理部１４は、空気清浄機３の運転モードがマニュアル運転であるので、マニュアル運転に設定された現在の空気清浄機３の風量「弱」を選択し、指示部１５は、処理部１４が選択した風量「弱」で空気清浄機３を運転させる。すなわち、空気清浄機３の運転モードがマニュアル運転である場合、空気清浄機３の風量が維持され、パトロール運転も実行されない。したがって、風量を一定に維持するマニュアル運転時に、空気清浄機３の風量が変化することを防止される。
【００３６】
なお、図２〜図４を用いて説明した第１〜第３動作例は一例であり、上記に限定されない。
【００３７】
また、加熱調理器２の動作状態の変化に対応付けられた風量の大きさは、一例であり上記に限定されない。また、本実施形態では、加熱調理器２のオン時、オフ時に実行されるパトロール運転の風量（監視風量）が「中」に設定されているが、空気清浄機３の最小風量「弱」より大きい風量であればよい。また、コンロ２１のオン、オフに対応付けられた風量と、グリル２２のオン、オフに対応付けられた風量とが、互いに同一の「中」に設定されているが、互いに異なる風量であってもよい。例えば、グリル２２を用いた調理はにおい、煙が比較的発生しやすいため、グリル２２のオン、オフには風量「強」が対応付けられていてもよい。また、コンロ２１およびグリル２２のオンに対応付けられた風量と、コンロ２１およびグリル２２のオフに対応付けられた風量とが互いに異なる風量に設定されていてもよい。例えば、コンロ２１およびグリル２２のオンには風量「強」が対応付けられ、コンロ２１およびグリル２２のオフには風量「中」が対応付けられていてもよい。さらに、監視期間Ｔ１は、コンロ２１のオン時、オフ時、およびグリル２２のオン時、オフ時それぞれに異なる期間が設定されていてもよい。
【００３８】
また、加熱調理器２の所定の動作状態の変化の例として、コンロ２１、グリル２２のオン、オフ、および自動調理機能の実行を示したが上記に限定しない。例えば、加熱調理器２の所定の動作状態の変化は、コンロ２１、グリル２２の火力（加熱量）の変化でもよい。この場合、処理部１４は、コンロ２１、グリル２２の火力が変化した際、コンロ２１、グリル２２の変化後の火力の大きさに基づいた風量を選択する。具体的には、処理部１４は、コンロ２１、グリル２２の火力が大きくなるにつれて、大きい風量を選択する。
【００３９】
また、本実施形態の空気清浄機３は、風量の大きさが４段階に切り替え可能に構成されているが、段階数は４に限定されず、さらには風量の大きさが連続的に変化可能に構成されていてもよい。また、空気清浄機３は、天井に埋込設置される設備型を例に示したが、床に置かれる据置型の空気清浄機であってもよい。また、空気清浄機３の設置場所は、キッチンに限定せず、例えばキッチンと空間が連続したダイニング、リビングなどに設置されていてもよい。
【００４０】
また、本実施形態の加熱調理器２は、ＩＨクッキングヒーターで構成されているが、これに限定しなし。例えばガスを用いた加熱を行うコンロを有するガスレンジ、シーズヒーターなどの電熱線を用いた加熱を行うコンロを有する電熱調理器など、他の加熱調理器で構成されていてもよい。
【００４１】
このように、本実施形態の制御装置１は、第１接続部１１と第２接続部１２と処理部１４と指示部１５とを備える。第１接続部１１は、コンロ２１を有する加熱調理器２との間で情報を授受する。第２接続部１２は、風量が可変に構成され風量の大きさに応じて空気清浄能力が変化する空気清浄機３との間で情報を授受する。処理部１４は、第１接続部１１を介して加熱調理器２の動作状態の変化を取得しており、加熱調理器２に所定の動作状態の変化が発生した場合、加熱調理器２の動作状態の変化に応じた空気清浄機３の風量を選択する。指示部１５は、第２接続部１２を介して、処理部１４が選択した風量で空気清浄機３を運転させる。
【００４２】
また、空気環境制御システム１０は、制御装置１と、コンロ２１を有し制御装置１との間で情報を授受する加熱調理器２と、風量が可変に構成され風量の大きさに応じて空気清浄能力が変化し、制御装置１との間で情報を授受する空気清浄機３とを備える。
【００４３】
上記構成、および上述した空気環境制御方法により、加熱調理器２に所定の動作状態が変化した際に、その動作状態に応じた風量で空気清浄機３が運転するので、調理によって発生するにおいを除去し拡散を防止することができる。
【００４４】
また、処理部１４は、加熱調理器２の動作状態が動作中から動作停止に変化した場合、加熱調理器２の動作中から動作停止への変化に応じた空気清浄機３の風量を選択する。これにより、加熱調理器２がオフした際にも、加熱調理器２のオフに対応付けられた風量で空気清浄機３が運転するので、調理後に残っているにおいを除去し拡散することを防止することができる。
【００４５】
また、処理部１４は、加熱調理器２に所定の動作状態の変化が発生した場合、空気清浄機３の最小風量「弱」よりも大きい風量である監視風量「中」を選択する。指示部１５は、監視風量「中」で空気清浄機３を所定の監視期間Ｔ１運転させる。これにより、空気清浄機３の風量が最小風量である「弱」よりも大きい風量「中」に設定されることによって、部屋の空気が撹拌され、より多くの空気を吸入してセンサ３３が空気環境を測定しやすい状態となる。したがって、調理によって発生するにおいを素早く検知し拡散を防止することができる。
【００４６】
また、加熱調理器２に所定の動作状態の変化が発生してから監視期間Ｔ１内に、加熱調理器２に所定の動作状態の変化が再発生したとする。この場合、指示部１５は、加熱調理器２の所定の動作状態の変化の再発生から監視期間Ｔ１、監視風量「中」で空気清浄機３を運転させる。上記構成により、加熱調理器２の動作状態の変化が再発生した際に、監視期間Ｔ１が再設定されるので、空気清浄機３が監視風量「中」で動作する期間が短くなることが防止され、調理によるにおいを検知して拡散を防止することができる。
【００４７】
また、空気清浄機３が、空気環境を測定するセンサ３３の測定結果に基づいて風量の大きさを調整する自動運転中である場合、処理部１４は、空気清浄機３の風量を以下のように選択する。空気清浄機３が自動運転中である場合、処理部１４は、加熱調理器２に所定の動作状態の変化が発生した際に、加熱調理器２の動作状態の変化に応じた風量と、空気清浄機３の風量とのうち大きい方の風量を選択する。これにより、加熱調理器２の動作状態の変化時に、においなどによって空気清浄機３の風量が大きく設定されている場合に、空気清浄機３の風量が小さく切り替えられることを防止することができる。
【００４８】
また、空気清浄機３が、空気環境を測定するセンサ３３の測定結果に基づいて風量の大きさを調整する自動運転中である場合、処理部１４は、空気清浄機３の風量を以下のように選択する。空気清浄機３が自動運転中である場合、処理部１４は、加熱調理器２に所定の動作状態の変化が発生した際に、監視風量「中」と、空気清浄機３の風量とのうち大きい方の風量を選択する。さらに、処理部１４は、加熱調理器２に所定の動作状態の変化が発生してから監視期間Ｔ１内に、センサ３３の測定結果に基づいた風量の大きさが監視風量「中」よりも小さくなった際に、監視風量「中」を選択する。これにより、加熱調理器２に所定の動作状態の変化が発生してから監視期間Ｔ１中は、監視風量「中」以上が維持されるので、調理によって発生するにおいを検知し拡散を防止することができる。
【００４９】
また、空気清浄機３が、風量の大きさを一定に維持するマニュアル運転中である場合、処理部１４は、加熱調理器２に所定の動作状態の変化が発生した際に、マニュアル運転に設定されている風量を選択する。これにより、加熱調理器２の動作状態の変化時に、ユーザーが設定した空気清浄機３の風量が切り替えられることを防止することができる。
【００５０】
また、本実施形態の加熱調理器２は、グリル２２を有している。そして、処理部１４は、加熱調理器２の動作状態が、グリル２２の動作停止状態から動作開始に変化した場合、グリル２２の動作停止から動作開始への変化に応じた空気清浄機３の風量を選択する。これにより、空気清浄機３がグリル２２のオンに対応付けられた風量で運転するため、におい、煙が比較的発生しやすいグリル２２を用いた調理を行う場合であっても、においの拡散を防止することができる。
【００５１】
また、処理部１４は、加熱調理器２が複数の調理メニューの中から選択された調理メニューに従って加熱を開始した場合、選択された調理メニューに応じた空気清浄機３の風量を選択する。これにより、空気清浄機３が調理メニューに応じた風量で運転するので、におい、煙が比較的多い調理メニューが選択された場合であっても、においの拡散を防止することができる。
（実施形態２）
本実施形態の制御装置１Ａ、および制御装置１Ａを用いた空気環境制御システム１０Ａの構成を図５に示す。本実施形態の制御装置１Ａは、実施形態１の制御装置１の構成に加えて、第３接続部１６、推定部１７、始動部１８、記憶部１９をさらに備える。また、本実施形態の空気環境制御システム１０Ａは、実施形態１の空気環境制御システム１０の構成に加えて、ＨＥＭＳのデバイス機器であるレンジフード４を備えて構成される。なお、実施形態１と同様の構成については、同一符号を付して説明を省略する。
【００５２】
レンジフード４は、加熱調理器２の上方に設置された換気扇であり、ファン４１、制御部４２、および操作部４３を備える。レンジフード４は、ファン４１が回転することによって、主に調理によって発生するにおい、煙などを屋外に排出する。操作部４３は、押しボタンスイッチ、タッチパネル等で構成されており、ユーザーからの操作を受け付ける。制御部４２は、操作部４３が受け付けた操作内容に基づいて、ファン３１の回転を制御する。また、レンジフード４は、ＨＥＭＳのデバイス機器であり、通信インターフェースである接続部４４を備えており、接続部４４を用いてＨＥＭＳのコントローラである制御装置１Ａと通信可能に構成されている。そして、レンジフード４は、ユーザーによって操作部４３が操作されレンジフード４の動作状態が変化した際に、動作状態の変化を示す信号を制御装置１Ａに送信する。ここでいうレンジフード４の動作状態とは、ファン４１の回転状態を示しており、ファン４１の回転が停止している状態をレンジフード４の動作停止、ファン４１が回転している状態をレンジフード４の動作中という。そして、レンジフード４は、動作停止から動作開始に変化した場合、すなわちファン４１の回転が開始した場合、レンジフード４のオンを示す信号を制御装置１Ａに送信する。また、レンジフード４は、動作中から動作停止に変化した場合、すなわちファン４１の回転が停止した場合、レンジフード４のオフを示す信号を制御装置１Ａに送信する。
【００５３】
本実施形態の制御装置１Ａは、第１接続部１１と第２接続部１２と第３接続部１６と制御部１３Ａと記憶部１９とを備え、加熱調理器２およびレンジフード４の動作状態の変化に基づいて、空気清浄機３の運転を制御する。
【００５４】
第３接続部１６は、通信インターフェースであり、レンジフード４の接続部４４と接続され、接続部４４との間で信号を送受信することで、レンジフード４との間で情報を授受する。
【００５５】
制御部１３Ａは、実施形態１で説明した処理部１４、指示部１５に加えて、推定部１７、始動部１８をさらに備え、第１接続部１１、第２接続部１２、第３接続部１６との間でデータを授受する。
【００５６】
本実施形態の処理部１４は、第３接続部１６を介してレンジフード４からの信号を受信することで、レンジフード４の動作状態の変化を示すデータをさらに取得する。処理部１４は、加熱調理器２のオン、オフと同様に、レンジフード４のオン、オフに対応付けられた空気清浄機３の風量を選択する。本実施形態では、レンジフード４のオン、およびオフというレンジフード４の動作状態の変化に対して、空気清浄機３の最小風量「弱」よりも大きい風量である見張風量「中」が対応付けられている。
【００５７】
そして、指示部１５は、レンジフード４がオンまたはオフした場合、空気清浄機３に対して、処理部１４が選択した見張風量「中」以上を見張期間維持させるパトロール運転を実行させる。また、実施形態１と同様に、空気清浄機３がパトロール運転中に、加熱調理器２がオン、オフした場合またはレンジフード４がオン、オフした場合、パトロール運転の時間が再設定される。具体的には、レンジフード４がオンまたはオフしてから見張期間内に、加熱調理器２がオンまたはオフした場合、指示部１５は、加熱調理器２がオンまたはオフしてから監視期間Ｔ１、監視風量「中」で空気清浄機３を運転（パトロール運転）させる。また、加熱調理器２がオンまたはオフしてから監視期間Ｔ１内に、レンジフード４がオンまたはオフした場合、指示部１５は、レンジフード４がオンまたはオフしてから見張期間、見張風量「中」で空気清浄機３を運転（パトロール運転）させる。
【００５８】
すなわち、本実施形態の制御装置１Ａは、加熱調理器２の動作状態の変化時に加えて、レンジフード４の動作状態の変化時も、レンジ―フードの動作状態の変化に応じた風量で空気清浄機３を運転させる。これにより、調理によって発生したにおいが拡散することをより防止することができる。また、空気清浄機３がパトロール運転中に、加熱調理器２がオンまたはオフした場合、およびレンジフード４がオンまたはオフした場合、パトロール運転の時間が再設定される。これにより、空気清浄機３が監視風量または見張風量で動作する期間が短くなることが防止され、調理によるにおいを検知して拡散を防止することができる。
【００５９】
なお、本実施形態では、加熱調理器２およびレンジフード４がオンまたはオフした際に実行されるパトロール運転において、監視風量と見張風量との風量の大きさが、互いに同一の風量「中」に設定されているが、互いに異なる風量の大きさであってもよい。また、監視期間Ｔ１と見張期間とが、互いに同一の時間長さに設定されていてもよいし、互いに異なる時間長さに設定されていてもよい。
【００６０】
また、制御装置１Ａは、リアルタイムクロックのような内蔵時計を備えており、記憶部１９には、加熱調理器２が動作を開始（オン）した開始時刻の履歴が格納される。さらに、記憶部１９には、加熱調理器２が動作を停止（オフ）した停止時刻の履歴も格納される。また、記憶部１９に格納される開始時刻、および停止時刻には、曜日情報も対応付けられている。
【００６１】
推定部１７は、加熱調理器２に格納された開始時刻の履歴に基づいて、加熱調理器２の動作が開始される開始予定時刻を推定する。例えば、推定部１７は、開始時刻の履歴を記憶部１９から抽出し、開始時刻の分布を求める。そして、推定部１７は、求めた分布から開始時刻の頻度が最も高い時刻を、加熱調理器２の動作が開始される開始予定時刻と推定する。また、推定部１７は、開始予定時刻の推定と同様に、加熱調理器２の動作が停止される停止予定時刻も推定する。図６に、推定部１７が推定した開始予定時刻、停止予定時刻の一例を示す。図６に示す例では、開始予定時刻が、７時、１２時、１８時であり、停止予定時刻が、７時４５分、１２時３０分、１９時３０分である。
【００６２】
始動部１８は、推定部１７が推定した開始予定時刻の所定時間（例えば、５分、１０分、１５分などから選択される）前に、空気清浄機３の運転を開始させる。本実施形態では、始動部１８は、開始予定時刻の１０分前に空気清浄機３の運転を開始させる。すなわち、図６に示す例では、始動部１８は、６時５０分、１１時５０分、１７時５０分に、空気清浄機３の運転を開始させる。このとき、制御装置１Ａは、空気清浄機３の監視風量「中」以上を監視期間Ｔ１維持させるパトロール運転、または空気清浄機３を見張風量「中」以上を見張期間維持させるパトロール運転を開始させてもよい。
【００６３】
また、本実施形態では、空気清浄機３は、加熱調理器２のオフ時にパトロール運転を実行し、パトロール運転後ににおいの除去が完了していると判断した場合に、運転を停止（オフ）するように構成されている。したがって、空気清浄機３が動作を停止する停止時刻は、加熱調理器２の停止予定時刻よりも早くなる、または遅くなる場合がある。なお、図６に示す例では、空気清浄機３は、７時５５分、１２時３０分、２０時ににおいの除去が完了していると判断し、運転を停止している。
【００６４】
すなわち、本実施形態の制御装置１Ａは、加熱調理器２における開始時刻の過去の履歴から推定した開始予定時刻よりも前に、空気清浄機３の運転を開始させる。これにより、調理開始前に空気清浄機３が予め運転した状態となるので、調理によってにおいが発生した場合により素早くにおいを除去し拡散することを防止することができる。
【００６５】
なお、推定部１７は、曜日ごとの開始時刻の履歴を記憶部１９から抽出し、曜日ごとの開始予定時刻を推定するように構成されていてもよい。これにより、例えば平日と休日とで加熱調理器２の動作開始時刻が異なる場合であっても、それぞれに対応した開始予定時刻が推定されるので、開始予定時刻の推定精度が高くなる。また、推定部１７は、求めた開始時刻の分布から、頻度が最も高い時刻を開始予定時刻と推定しているが、推定方法はこれに限定されない。例えば、推定部１７は、頻度が所定の閾値以上の時刻のうち、最も早い時刻を開始予定時刻と推定してもよい。これにより、加熱調理器２の開始時刻にばらつきがある場合でも、開始時刻のばらつき範囲のうち早い時刻が開始予定時刻と推定されるので、加熱調理器２が動作を開始する前に、空気清浄機３の運転を開始させることができる。
【００６６】
このように、本実施形態の制御装置１Ａは、レンジフード４との間で情報を授受する第３接続部１６をさらに備える。そして、処理部１４は、第３接続部１６を介してレンジフード４の動作状態の変化を取得しており、レンジフード４の動作状態に変化が発生した場合、レンジフード４の動作状態の変化に応じた空気清浄機３の風量を選択する。
【００６７】
上記構成により、加熱調理器２の動作状態の変化時に加えて、レンジフード４の動作状態の変化時も、レンジ―フードの動作状態に応じた風量で空気清浄機３が運転するので、調理によって発生するにおいが拡散するのをより防止することができる。
【００６８】
また、処理部１４は、第３接続部１６を介してレンジフード４の動作状態の変化を取得しており、レンジフード４の動作状態に変化が発生した場合、見張風量「中」を選択する。指示部１５は、見張風量「中」で空気清浄機３を見張期間運転させる。さらに指示部１５は、レンジフード４の動作状態の変化が発生してから見張期間内に、加熱調理器２に所定の動作状態の変化が発生した場合、加熱調理器２に所定の動作状態の変化が発生してから監視期間Ｔ１、監視風量「中」で空気清浄機３を運転させる。これにより、レンジフード４の動作状態の変化が発生してから見張期間内に加熱調理器２の動作状態に変化が発生した際に、パトロール運転の時間（監視期間Ｔ１）が再設定される。したがって、空気清浄機３が監視風量「中」で動作する期間が短くなることが防止され、調理によるにおいを検知して拡散を防止することができる。
【００６９】
また、本実施形態の制御装置１Ａは、記憶部１９と推定部１７と始動部１８とを備える。記憶部１９は、加熱調理器２が動作を開始した開始時刻の履歴を格納する。推定部１７は、記憶部１９に格納された開始時刻の履歴に基づいて、加熱調理器２の動作が開始される開始予定時刻を推定する。始動部１８は、推定部１７が推定した開始予定時刻の所定時間前に、空気清浄機３の運転を開始させる。
【００７０】
上記構成により、加熱調理器２における開始時刻の過去の履歴から推定された開始予定時刻よりも前に、空気清浄機３の運転が開始されるので、調理によってにおいが発生した場合により素早くにおいを除去し拡散することを防止することができる。
【００７１】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００７２】
１、１Ａ  制御装置
１０、１０Ａ  空気環境制御システム
１１  第１接続部
１２  第２接続部
１４  処理部
１５  指示部
１６  第３接続部
１７  推定部
１８  始動部
１９  記憶部
２  加熱調理器
２１  コンロ
２２  グリル
３  空気清浄機
３３  センサ
４  レンジフード
【図１】
0006454942.tif 000002
【図２】
0006454942.tif 000003
【図３】
0006454942.tif 000004
【図４】
0006454942.tif 000005
【図５】
0006454942.tif 000006
【図６】
0006454942.tif 000007